(57)【要約】【課題】  ユーザの設定処理を簡略化しつつ様々な言語に容易に対応し、さらには時間的な要素も含めて言語処理を行う。【解決手段】  受信部１１および受信地判別部１２は、自己の現在位置あるいは現在位置が属する領域を特定可能な情報を含む電波を受信して自己の現在位置を特定する。言語設定部１３は、現在位置に基づいて翻訳対象あるいは通訳対象の複数の言語の種別を特定し、言語処理部は、翻訳対象あるいは通訳対象の複数の言語の種別に基づいて翻訳処理あるいは通訳処理を行う。この場合に、処理対象データおよび計時部１７の出力した時間情報に基づいて翻訳処理あるいは通訳処理を行う。【選択図】      図１
2005190278.tif 000002
【特許請求の範囲】
【請求項１】
自己の現在位置あるいは前記現在位置が属する領域を特定可能な情報を含む電波を受信して自己の現在位置を特定する現在位置特定部と、
前記現在位置に基づいて翻訳対象あるいは通訳対象の複数の言語の種別を特定する言語特定部と、
翻訳対象あるいは通訳対象の複数の言語の種別に基づいて翻訳処理あるいは通訳処理を行う言語処理部と、
を備えたことを特徴とする言語情報処理装置。
【請求項２】
請求項１記載の言語情報処理装置において、
計時処理を行って時間情報を出力する計時部を備え、
前記言語処理部は、前記翻訳処理あるいは前記通訳処理の対象である処理対象データおよび前記時間情報に基づいて前記翻訳処理あるいは前記通訳処理を行うことを特徴とする言語情報処理装置。
【請求項３】
請求項２記載の言語情報処理装置において、
前記言語処理部は、前記現在位置および前記時間情報に基づいて、当該現在位置における季節を判別する季節判別部を備え、判別した季節に基づいて前記翻訳処理あるいは前記通訳処理を行うことを特徴とする言語情報処理装置。
【請求項４】
請求項１ないし請求項３のいずれかに記載の言語情報処理装置において、
入力音声の音声認識を行って入力音声データを出力する音声認識部を備え、
前記言語処理部は、前記入力音声データを翻訳対象データあるいは通訳対象データとして前記翻訳処理あるいは前記通訳処理を行う、
ことを特徴とする言語情報処理装置。
【請求項５】
請求項１ないし請求項４のいずれかに記載の言語情報処理装置において、
前記翻訳処理の結果あるいは前記通訳処理の結果を音声合成出力する音声合成部を備えたことを特徴とする言語情報処理装置。
【請求項６】
請求項１ないし請求項５のいずれかに記載の言語情報処理装置において、
前記現在位置特定部は、ＧＰＳ衛星からの測位用電波を受信して前記自己の現在位置を特定することを特徴とする言語情報処理装置。
【請求項７】
請求項１ないし請求項５のいずれかに記載の言語情報処理装置において、
前記現在位置特定部は、電波修正時計用電波を受信し、当該電波修正時計用電波の周波数およびタイムコードのうち、少なくとも前記周波数に基づいて前記自己の現在位置を特定することを特徴とする言語情報処理装置。
【請求項８】
自己の現在位置あるいは前記現在位置が属する領域を特定可能な情報を含む電波を受信して自己の現在位置を特定する現在位置特定過程と、
前記現在位置に基づいて翻訳対象あるいは通訳対象の複数の言語の種別を特定する言語特定過程と、
翻訳対象あるいは通訳対象の複数の言語の種別に基づいて翻訳処理あるいは通訳処理を行う言語処理過程と、
を備えたことを特徴とする言語情報処理方法。
【請求項９】
請求項８記載の言語情報処理方法において、
計時処理を行って時間情報を出力する計時過程を備え、
前記言語処理過程は、前記翻訳処理あるいは前記通訳処理の対象である処理対象データおよび前記時間情報に基づいて前記翻訳処理あるいは前記通訳処理を行うことを特徴とする言語情報処理方法。
【請求項１０】
請求項９記載の言語情報処理方法において、
前記言語処理過程は、前記現在位置および前記時間情報に基づいて、当該現在位置における季節を判別する季節判別過程を備え、判別した季節に基づいて前記翻訳処理あるいは前記通訳処理を行うことを特徴とする言語情報処理方法。
【請求項１１】
外部からの電波を受信する受信装置が接続されたコンピュータに言語情報処理を行わせるための制御プログラムにおいて、
自己の現在位置あるいは前記現在位置が属する領域を特定可能な情報を含む電波を受信させ自己の現在位置を特定させ、
前記現在位置に基づいて翻訳対象あるいは通訳対象の複数の言語の種別を特定させ、
翻訳対象あるいは通訳対象の複数の言語の種別に基づいて翻訳処理あるいは通訳処理を行わせる、
ことを特徴とする制御プログラム。
【請求項１２】
請求項１１記載の制御プログラムにおいて、
計時処理を行わせて時間情報を出力させ、
前記翻訳処理あるいは前記通訳処理の対象である処理対象データおよび前記時間情報に基づいて前記翻訳処理あるいは前記通訳処理を行わせる、
ことを特徴とする制御プログラム。
【請求項１３】
請求項１１または請求項１２記載の制御プログラムを記録したことを特徴とするコンピュータ読取可能な記録媒体。
【発明の詳細な説明】
【技術分野】
【０００１】
本発明は、言語情報処理装置、言語情報処理方法、制御プログラムおよび記録媒体に係り、特に携帯型の言語情報処理装置、言語情報処理方法、制御プログラムおよび記録媒体に関する。
【背景技術】
【０００２】
近年、情報処理技術の発展に伴い、自然言語処理技術を応用した様々な言語情報処理装置が開発されており、通訳機能や翻訳機能を搭載した携帯型の言語情報処理装置として、携帯型通訳機や携帯型翻訳機が知られている（例えば、特許文献１および特許文献２参照）。
【特許文献１】特開平１１−１５３６７９号公報
【特許文献２】特開平６−１０２３７４号公報
【発明の開示】
【発明が解決しようとする課題】
【０００３】
上記従来の携帯型通訳機や携帯型翻訳機においては、入力言語（通訳元言語あるいは翻訳元言語）および出力言語（通訳先言語あるいは翻訳先言語）の組み合わせについては、予め設定されていたり、ユーザが使用開始前にマニュアルで設定する必要があった。
これらの場合において、入力言語と出力言語の組み合わせが予め設定されている場合には、他の言語の通訳などには用いることができないという不具合が生じる。
また、入力言語と出力言語の組み合わせをユーザが使用開始前に設定する場合には、例えば、複数の国が接する国境付近の街など当該地域で使用している言語が複数あり、突然話しかけられた場合などには、即時に対応することができないという不具合が生じる。
さらに従来の携帯型通訳機や携帯型翻訳機においては、汎用性を持たせるため、時間的な要素（時刻、季節等）はあまり考慮せずに通訳処理あるいは翻訳処理を行うので、よりふさわしい通訳や翻訳が行えないという問題点があった。
そこで、本発明の目的は、ユーザの設定処理を簡略化しつつ様々な言語に容易に対応し、さらには時間的な要素も含めて言語処理を行うことが可能な言語情報処理装置、言語情報処理方法、制御プログラムおよび記録媒体を提供することにある。
【課題を解決するための手段】
【０００４】
上記課題を解決するため、言語情報処理装置は、自己の現在位置あるいは前記現在位置が属する領域を特定可能な情報を含む電波を受信して自己の現在位置を特定する現在位置特定部と、前記現在位置に基づいて翻訳対象あるいは通訳対象の複数の言語の種別を特定する言語特定部と、翻訳対象あるいは通訳対象の複数の言語の種別に基づいて翻訳処理あるいは通訳処理を行う言語処理部と、を備えたことを特徴としている。
上記構成によれば、現在位置特定部は、自己の現在位置あるいは前記現在位置が属する領域を特定可能な情報を含む電波を受信して自己の現在位置を特定する。これにより言語特定部は、現在位置に基づいて翻訳対象あるいは通訳対象の複数の言語の種別を特定する。
これらの結果、言語処理部は、翻訳対象あるいは通訳対象の複数の言語の種別に基づいて翻訳処理あるいは通訳処理を行う。
【０００５】
この場合において、言語情報処理装置は、計時処理を行って時間情報を出力する計時部を備え、前記言語処理部は、前記翻訳処理あるいは前記通訳処理の対象である処理対象データおよび前記時間情報に基づいて前記翻訳処理あるいは前記通訳処理を行うようにしてもよい。
また、前記言語処理部は、前記現在位置および前記時間情報に基づいて、当該現在位置における季節を判別する季節判別部を備え、判別した季節に基づいて前記翻訳処理あるいは前記通訳処理を行うようにしてもよい。
さらに、入力音声の音声認識を行って入力音声データを出力する音声認識部を備え、前記言語処理部は、前記入力音声データを翻訳対象データあるいは通訳対象データとして前記翻訳処理あるいは前記通訳処理を行うようにしてもよい。
さらにまた、前記翻訳処理の結果あるいは前記通訳処理の結果を音声合成出力する音声合成部を備えるようにしてもよい。
また、前記現在位置特定部は、ＧＰＳ衛星からの測位用電波を受信して前記自己の現在位置を特定するようにしてもよい。
さらに、前記現在位置特定部は、電波修正時計用電波を受信し、当該電波修正時計用電波の周波数およびタイムコードのうち、少なくとも前記周波数に基づいて前記自己の現在位置を特定するようにしてもよい。
【０００６】
また、言語情報処理方法は、自己の現在位置あるいは前記現在位置が属する領域を特定可能な情報を含む電波を受信して自己の現在位置を特定する現在位置特定過程と、前記現在位置に基づいて翻訳対象あるいは通訳対象の複数の言語の種別を特定する言語特定過程と、翻訳対象あるいは通訳対象の複数の言語の種別に基づいて翻訳処理あるいは通訳処理を行う言語処理過程と、備えたことを特徴としている。
この場合において、計時処理を行って時間情報を出力する計時過程を備え、
前記言語処理過程は、前記翻訳処理あるいは前記通訳処理の対象である処理対象データおよび前記時間情報に基づいて前記翻訳処理あるいは前記通訳処理を行うようにしても良い。
【０００７】
また、前記言語処理過程は、前記現在位置および前記時間情報に基づいて、当該現在位置における季節を判別する季節判別過程を備え、判別した季節に基づいて前記翻訳処理あるいは前記通訳処理を行うようにしてもよい。
また、外部からの電波を受信する受信装置が接続されたコンピュータに言語情報処理を行わせるための制御プログラムは、自己の現在位置あるいは前記現在位置が属する領域を特定可能な情報を含む電波を受信させ自己の現在位置を特定させ、前記現在位置に基づいて翻訳対象あるいは通訳対象の複数の言語の種別を特定させ、翻訳対象あるいは通訳対象の複数の言語の種別に基づいて翻訳処理あるいは通訳処理を行わせることを特徴としている。
この場合において、計時処理を行わせて時間情報を出力させ、前記翻訳処理あるいは前記通訳処理の対象である処理対象データおよび前記時間情報に基づいて前記翻訳処理あるいは前記通訳処理を行わせるようにしても良い。
また、上記各制御プログラムをコンピュータ読取可能な記録媒体に記録するようにしても良い。
【発明の効果】
【０００８】
本発明によれば、ユーザの設定処理を簡略化しつつ様々な言語に容易に対応して言語処理を行える。
【発明を実施するための最良の形態】
【０００９】
次に本発明の好適な実施の形態について図面を参照して説明する。
まず具体的な説明に先立ち、実施形態の原理について説明する。
図１は実施形態の言語情報処理装置の原理を説明するための概要構成ブロック図である。
言語情報処理装置１０は、ＧＰＳ（Global Positioning System）衛星からの測位用電波を受信して当該言語情報処理装置１０の現在位置に対応する現在位置データを出力するとともに、グリニッジ標準時に同期した時刻情報データを出力する受信部１１と、現在位置データに基づいて当該言語情報処理装置１０の属する使用言語の種別で分類された受信地域を特定する受信地判別部１２と、特定された受信地域に基づいて当該受信地域に対応する一または複数の使用言語の種別を特定し、翻訳対象あるいは通訳対象の言語を設定する言語設定部１３と、キーボードあるいはマイクを備え、翻訳対象の文字列データあるいは通訳対象の音声データである処理対象データを入力するための入力部１４と、処理対象データおよび第２言語の種別に基づいて翻訳処理あるいは通訳処理を行う言語処理部１５と、言語処理部１５により処理された翻訳データを表示し、あるいは、通訳データに基づいて音声出力を行う出力部１６と、時刻情報データに基づいて時刻補正を行い、時刻データを出力する計時部１７と、を備えている。
【００１０】
上記構成によれば、受信部１１は、ＧＰＳ衛星からの測位用電波を受信して当該言語情報処理装置１０の現在位置に対応する現在位置データを受信地判別部１２に出力する。
受信地判別部１２は、入力された現在位置データに基づいて当該言語情報処理装置１０の属する使用言語の種別で分類された受信地域を特定する。具体的には、現在位置データに対応する緯度、経度を有する受信地域がカナダに属すると特定する
これにより、言語設定部は、特定された受信地域に基づいて当該受信地域に対応する一または複数の使用言語の種別を特定し、翻訳対象あるいは通訳対象の言語を設定する。具体的には、受信地域がカナダである場合には、当該地域で使用されている言語（公用語としては、英語あるいはフランス語）を特定するとともに、当該地域で使用頻度が高い言語をより優先順位の高い言語とし、最も使用頻度が高いと思われる言語を特定し、翻訳対象あるいは通訳対象の言語を設定する。
【００１１】
これと並行して、入力部１４から翻訳対象の文字列データあるいは通訳対象の音声データである処理対象データが入力されると、言語処理部１５は、処理対象データおよび第２言語の種別に基づいて翻訳処理あるいは通訳処理を行う。このとき、言語処理部１５は、計時部１７により入力された時刻データに基づいて、当該時刻あるいは対応する季節を考慮した翻訳処理あるいは通訳処理を行うこととなる。
そして、出力部１６は、言語処理部１５により処理された翻訳データを表示し、あるいは、通訳データに基づいて音声出力を行うこととなる。
次に具体的な実施の形態について説明する。
【００１２】
［１］第１実施形態
図２は、第１実施形態の言語情報処理装置（通訳装置）を腕時計型に構成した場合の外観正面図である。
腕時計型言語情報処理装置２０は、大別すると、言語情報処理装置本体２１と、言語情報処理装置本体２１を腕に装着するために、言語情報処理装置本体２１の上下方向に設けられたバンド２２Ａ、２２Ｂと、を備えている。
言語情報処理装置本体２１のバンド２２Ａの取付側には、相手側マイク２３が設けられており、通訳相手の音声が入力されることとなる。同様にバンド２２Ｂの取付側には、本人側マイク２４が設けられている。これらにより、言語情報処理装置本体２１は、左側部に配置されたＧＰＳアンテナ部２５を介して受信した測位用電波に基づいて通訳相手の使用言語（第２言語）の種別を特定し、通訳処理を行う。
この結果、表示部２７は、透明平面スピーカとして機能し、通訳結果音声あるいは通訳不能などの警告音声を出力するととともに、通訳結果の文章などの各種情報を表示する。
また、言語情報処理装置本体２１は、右側部に配置された操作部２６を構成する複数の操作子（スイッチ群）によりユーザの各種指示が入力される。
図３は、腕時計型言語情報処理装置２０の概要構成ブロック図である。
【００１３】
腕時計型情報処理装置２０は、発振回路３１を備えており、この発振回路３１は、水晶発振器３２を有し、基準クロック信号を分周回路３３に出力する。
分周回路３３は、基準クロック信号を分周して計時用クロック信号を時刻カウンタ３４に出力する。
時刻カウンタ３４は、計時用クロック信号に基づいて時刻カウントを行い現在時刻に対応する計時データをドライバ回路３５、比較部３６および通訳制御部３７に出力する。
一方、ＧＰＳアンテナ部２５が接続された受信部３８は、受信した測位用電波のデコードを行い、測位用データとして制御部３９に出力する。
制御部３９は、ＲＯＭなどの測位計算ソフトウェア記憶部４０から読み出した測位計算ソフトウェアによりグリニッジ標準時に同期した基準時刻データおよび現在位置データを算出する。制御部３９により算出された基準時刻データは比較部３６に出力され、比較部３６は、計時データと基準時刻データとを比較し、計時データに対応する時刻のずれを補正すべく、時刻補正データを時刻修正制御部４１に出力する。
時刻修正制御部４１は、入力された時刻補正データに基づいて時刻カウンタ３４の計時データを補正する。
これらの結果、時刻カウンタ３４の出力する計時データは、グリニッジ標準時に同期したものとなり、ドライバ回路３５および表示部４２を介して正確な時刻が表示されることとなる。この場合において、現在地とグリニッジとの間の時差修正を時刻修正制御部４１において行い、表示部４２において現在地の時刻を表示するようにすることも可能である。
【００１４】
図４は、通訳処理の処理フローチャートである。
腕時計型情報処理装置２０は、操作部２６を介して通訳処理の開始が指示されると、通訳処理を開始することとなる。
通訳処理が開始されると、受信制御部４３は、受信部３８を起動する。
これにより、制御部３９は、受信部３８において受信ができたか否かを判別する（ステップＳ１）。
ステップＳ１の判別において、未だ受信部３８において受信ができていない場合には（ステップＳ１；Ｎｏ）、待機状態となる。
ステップＳ１の判別において、受信部３８において測位用電波を受信できた場合には、得られた現在位置データを言語設定部４４に出力する。
これにより、言語設定部４４は、現在位置データに基づいて受信地域（現在位置）を認識し（ステップＳ２）、通訳元（あるいは通訳先）の言語である第１言語および通訳先（あるいは通訳元）の言語である第２言語の組み合わせをあらかじめ記憶した言語組み合わせデータ記憶部４５を参照し、対応する言語組み合わせを言語設定データとして通訳制御部３７および音声認識部４７に出力する（ステップＳ３）。この場合において、言語組み合わせデータ記憶部４５における第１言語と第２言語との組み合わせは、言語組み合わせ設定部４６を介してユーザあるいは通信回線を介して自動的に設定される。若しくはあらかじめＲＯＭ等に記憶させておいても良い。
【００１５】
言語設定データが入力された音声認識部４７は、相手側マイク２３あるいは本人側マイク２４を介して音声が入力されたか否かを判別する（ステップＳ４）。
ステップＳ４の判別において、音声認識部４７は、未だ音声が入力されていない場合には（ステップＳ４；Ｎｏ）、音声未入力時間があらかじめ定めた待機時間ｔ未満であるか否かを判別する（ステップＳ１１）。
ステップＳ１１の判別において、音声未入力時間が待機時間ｔ未満である場合には（ステップＳ１１；Ｙｅｓ）、再び処理をステップＳ４に移行し、待機状態となる。
ステップＳ１１の判別において、音声未入力時間が待機時間ｔ以上である場合には（ステップＳ１１；Ｎｏ）、消費電力の低減を図るべく通訳処理を終了する。
ステップＳ４の判別において、音声認識部４７は、相手側マイク２３あるいは本人側マイク２４から音声が入力されると（ステップＳ４；Ｙｅｓ）、音声認識データ記憶部４８から言語設定データに対応する音声認識データを読み出し、読み出した音声認識データに基づいて入力音声の音声認識を行い、音声認識結果データを通訳制御部３７に出力する（ステップＳ５）。
【００１６】
この場合において、音声認識結果データは、例えば、認識した音声に対応する文字列データであるテキストデータを含んでいる。
この結果、通訳制御部３７は、入力されたテキストデータ、計時データおよび通訳データ記憶部４９にあらかじめ記憶されている通訳データに基づいて通訳処理を行う（ステップＳ６）。
この場合において、計時データは、時間的な要素を考慮して通訳を行う場合に用いられ、時間的な要素には通常の時刻の他、季節なども含まれる。
具体的には、通訳先言語（第２言語）が日本語で、通訳元言語（第１言語）が英語である場合、通訳元言語の話者が例えば、「hello！」と言った場合であっても、朝の時間帯であれば「おはよう」と通訳し、昼の時間帯であれば「こんにちは」と通訳し、夜（夕方）の時間帯であれば「こんばんは」と通訳する。
【００１７】
そして通訳制御部３７は、通訳先言語である第２言語の通訳結果データを生成し、音声変換部５０および表示信号変換部５１に出力する。この通訳結果データも通訳した文章に対応する文字列データであるテキストデータを含んでいる。
通訳結果データが入力された音声変換部５０は、通訳結果データの単語解析、係受け解析、表音文字列生成を含む音声変換処理を行う（ステップＳ７）。
続いて音声変換部５０は、音声変換処理の結果に基づいてスピーカ駆動部５２を介してスピーカ５３を駆動し通訳文の音声出力を行う（ステップＳ８）。
一方、表示信号変換部５１は、通訳結果データを表示信号に変換し、ドライバ回路３５に出力する（ステップＳ９）。
この結果、表示部４２には、通訳結果データに対応する文章が当該通訳先の言語（第２言語）で表示されることとなる（ステップＳ１０）。
以上の説明のように、本第１実施形態の腕時計型情報処理装置２０によれば、ＧＰＳ衛星からの測位用電波によって自己の現在位置を特定し、通訳対象の言語の組み合わせを自動的に設定できるので、ユーザの設定の手間を削減し、より使い勝手が良くなる。
また、通訳時に時間的要素（時刻、季節など）も考慮して通訳を行えるので、より自然な通訳が行える。
【００１８】
［２］第２実施形態
図５は、第２実施形態の言語情報処理装置（通訳装置）を腕時計型に構成した場合の外観斜視図である。図６は、第２実施形態の言語情報処理装置の使用状態の側面図（その１）である。図７は、第２実施形態の言語情報処理装置の使用状態の側面図（その２）である。
腕時計型言語情報処理装置６０は、大別すると、言語情報処理装置本体２１と、言語情報処理装置本体２１を腕に装着するために、言語情報処理装置本体２１の上下方向に設けられたバンド２２Ａ、２２Ｂと、を備えている。
表示部４２は、液晶ディスプレイなどとして構成されるとともに、透明平面スピーカとして機能し、通訳結果音声あるいは通訳不能などの警告音声を出力するととともに、通訳結果の文章などの各種情報を表示する。
言語情報処理装置本体２１は、右側部に配置された操作部２６を構成する複数の操作子（スイッチ群）２６Ａ、２６Ｂによりユーザの各種指示が入力される。
【００１９】
さらにＥＬディスプレイなどとして構成される表示部６８は、ヒンジ部６８Ａを介して言語情報処理装置本体２１に回動可能に取り付けられ、通訳装置として機能させる場合には、図５および図６に示すように開いた状態で用いることにより、表示面積を拡大できる。なお、図７に示すように表示部６８を閉じた状態でも、表示部６８を介して表示部４２の表示を視認することができるようになっている。
図８は、第２実施形態の言語情報処理装置（通訳装置）の概要構成ブロック図である。図８において、図３の第１実施形態と同様の部分には同一の符号を付すものとする。本第２実施形態の言語情報処理装置は、電波修正時計用の電波の周波数および必要に応じてタイムコードに基づいて受信地を特定する場合の実施形態である。
腕時計型情報処理装置６０は、発振回路３１を備えており、この発振回路３１は、水晶発振器３２を有し、基準クロック信号を分周回路３３に出力する。
分周回路３３は、基準クロック信号を分周して計時用クロック信号を時刻カウンタ３４に出力する。
時刻カウンタ３４は、計時用クロック信号に基づいて時刻カウントを行い現在時刻に対応する計時データをドライバ回路３５、比較部３６および通訳制御部３７に出力する。
【００２０】
一方、アンテナ部６１が接続された受信部６２は、受信した電波修正時計用電波のデコードを行い、修正用時刻データをデータ記憶部６３に出力する。
また、受信部６２は、電波修正時計用電波の周波数を最適受信周波数選別部６４に出力する。最適受信周波数選別部６４は、電波修正時計用電波の周波数および必要に応じてタイムコードを特定し、受信地判別部６５に出力する。受信地判別部６５は、あらかじめ受信地の判別用データを記憶した判別用データ記憶部６６を参照し、受信地を判別して言語設定部４４に現在位置データを出力する。
具体的には、受信地判別部６５は、例えば、以下のような電波修正時計用電波の周波数およびタイムコードの関係を利用して受信地を判別する。
受信地                    送信周波数およびタイムコード            
日本      おおたかどや山：送信周波数４０ｋＨｚ
はがね山      ：送信周波数６０ｋＨｚ（タイムコード１）
ドイツ                  ：送信周波数７７．５ｋＨｚ
英国                    ：送信周波数６０ｋＨｚ（タイムコード２）
米国                    ：送信周波数６０ｋＨｚ（タイムコード３）
【００２１】
この場合において、電波修正時計用電波の周波数６０ｋＨｚのものは、３カ所考えられるが、それぞれタイムコードが異なるので、タイムコードを識別することにより受信地の特定ができるようになっている。
データ記憶部６３が記憶している修正用時刻データは比較部３６に出力され、比較部３６は、計時データと修正用時刻データとを比較し、計時データに対応する時刻のずれを補正すべく、時刻補正データを時刻修正制御部４１に出力する。
時刻修正制御部４１は、入力された時刻補正データに基づいて時刻カウンタ３４の計時データを補正する。
これらの結果、時刻カウンタ３４の出力する計時データは、ドライバ回路３５および表示部４２を介して現在地に対応する正確な時刻が表示されることとなる。
【００２２】
図９は、通訳処理の処理フローチャートである。
腕時計型情報処理装置２０は、操作部２６を介して通訳処理の開始が指示されると、通訳処理を開始することとなる。
通訳処理が開始されると、受信制御部４３は、受信部６２を起動し、電波修正時計用電波を受信する（ステップＳ２１）。
これにより、最適受信周波数選別部６４は、最適な受信周波数が選別できたか否かを判別する（ステップＳ２２）。
ステップＳ２２の判別において、未だ最適受信周波数選別部６４において、最適な受信周波数が選別できていない場合には（ステップＳ２２；Ｎｏ）、待機状態となる。
ステップＳ２２の判別において、最適受信周波数選別部６４は、最適な受信周波数が選別できた場合には、受信地判別部６５が得られた周波数および必要に応じてタイムコードを判別することにより、現在位置データを言語設定部４４に出力する（ステップＳ２３）。
これにより、言語設定部４４は、現在位置データに基づいて受信地域（現在位置）を認識し、通訳元（あるいは通訳先）の言語である第１言語および通訳先（あるいは通訳元）の言語である第２言語の組み合わせをあらかじめ記憶した言語組合わせデータ記憶部４５を参照し、対応する言語組み合わせを言語設定データとして通訳制御部３７および音声認識部４７に出力する（ステップＳ２４）。この場合において、言語組み合わせデータ記憶部４５における第１言語と第２言語との組み合わせは、言語組み合わせ設定部４６を介してユーザあるいは通信回線を介して自動的に設定される。若しくはあらかじめＲＯＭ等に記憶させておいても良い。
【００２３】
言語設定データが入力された音声認識部４７は、相手側マイク２３あるいは本人側マイク２４を介して音声が入力されたか否かを判別する（ステップＳ２５）。
ステップＳ２５の判別において、音声認識部４７は、未だ音声が入力されていない場合には（ステップＳ２５；Ｎｏ）、音声未入力時間があらかじめ定めた待機時間ｔ未満であるか否かを判別する（ステップＳ３２）。
ステップＳ３２の判別において、音声未入力時間が待機時間ｔ未満である場合には（ステップＳ３２；Ｙｅｓ）、再び処理をステップＳに移行し、待機状態となる。
ステップＳ３２の判別において、音声未入力時間が待機時間ｔ以上である場合には（ステップＳ３２；Ｎｏ）、消費電力の低減を図るべく通訳処理を終了する。
ステップＳ２５の判別において、音声認識部４７は、相手側マイク２３あるいは本人側マイク２４から音声が入力されると（ステップＳ２５；Ｙｅｓ）、音声認識データ記憶部４８から言語設定データに対応する音声認識データを読み出し、読み出した音声認識データに基づいて入力音声の音声認識を行い、音声認識結果データを通訳制御部３７に出力する（ステップＳ２６）。この場合において、音声認識結果データは、例えば、認識した音声に対応する文字列データであるテキストデータを含んでいる。
【００２４】
この結果、通訳制御部３７は、入力されたテキストデータ、計時データおよび通訳データ記憶部４９にあらかじめ記憶されている通訳データに基づいて通訳処理を行う（ステップＳ２７）。この場合においても、第１実施形態と同様に、計時データは、時間的な要素を考慮して通訳を行う場合に用いられる。
そして通訳制御部３７は、通訳先言語である第２言語の通訳結果データを生成し、音声変換部５０およびドライバ回路６７に出力する。この通訳結果データも通訳した文章に対応する文字列データであるテキストデータを含んでいる。
通訳結果データが入力された音声変換部５０は、通訳結果データの単語解析、係受け解析、表音文字列生成を含む音声変換処理を行う（ステップＳ２８）。
続いて音声変換部５０は、音声変換処理の結果に基づいてスピーカ駆動部５２を介してスピーカ５３を駆動し通訳文の音声出力を行う（ステップＳ２９）。
一方、ドライバ回路６７は、通訳結果データを表示信号に変換して液晶ディスプレイなどの表示部６８を駆動し（ステップＳ３０）、表示部６８には、通訳結果データに対応する文章が当該通訳先の言語（第２言語）で表示されることとなる（ステップＳ３１）。
以上の説明のように、本第２実施形態の腕時計型情報処理装置６０によれば、電波修正時計用電波によって自己の現在位置を特定し、通訳対象の言語の組み合わせを自動的に設定できるので、ユーザの設定の手間を削減し、より使い勝手が良くなる。
また、通訳時に時間的要素（時刻、季節など）も考慮して通訳を行えるので、より自然な通訳が行える。
【００２５】
［３］第３実施形態
図１０は、第３実施形態の言語情報処理装置（翻訳装置）を腕時計型に構成した場合の外観正面図である。図１０において、図２と同様の部分には同一の符号を付すものとする。
腕時計型言語情報処理装置７０は、大別すると、言語情報処理装置本体２１と、言語情報処理装置本体２１を腕に装着するために、言語情報処理装置本体２１の上下方向に設けられたバンド２２Ａ、２２Ｂと、を備えている。
言語情報処理装置本体２１は、操作部２６を構成するキーボードからの入力（翻訳用入力データあるいは入力コマンド）およびＧＰＳアンテナ部２５を介して受信した測位用電波に基づいて翻訳先の言語（第２言語）の種別を特定し、翻訳処理を行う。
このとき、アナログ表示部７１は、アナログ指針７２を備えるとともに、アナログ指針７２の裏面には、液晶表示パネルなどの平面ディスプレイで構成された表示部４２を備えており、翻訳結果の文章などの各種情報を表示する。
【００２６】
図１１は、腕時計型言語情報処理装置７０の概要構成ブロック図である。
腕時計型情報処理装置７０は、発振回路３１を備えており、この発振回路３１は、水晶発振器３２を有し、基準クロック信号を分周回路３３に出力する。
分周回路３３は、基準クロック信号を分周して計時用クロック信号を時刻カウンタ３４に出力する。
時刻カウンタ３４は、計時用クロック信号に基づいて時刻カウントを行い現在時刻に対応する計時データをモータ駆動回路７２に出力する。
これにより、アナログ表示部７１のアナログ指針は、モータ駆動回路７２により駆動されるとともに、アナログ指針の位置が針位置検出部７３により検出され、計時データとして比較部３６に出力される。
一方、ＧＰＳアンテナ部２５が接続された受信部３８は、受信した測位用電波のデコードを行い、測位用データとして制御部３９に出力する。
制御部３９は、ＲＯＭなどの測位計算ソフトウェア記憶部４０から読み出した測位計算ソフトウェアによりグリニッジ標準時に同期した基準時刻データおよび現在位置データを算出する。制御部３９により算出された基準時刻データは比較部３６に出力され、比較部３６は、計時データと基準時刻データとを比較し、計時データに対応する時刻のずれを補正すべく、時刻補正データを時刻修正制御部４１に出力する。
時刻修正制御部４１は、入力された時刻補正データに基づいて時刻カウンタ３４の計時データを補正する。
これらの結果、時刻カウンタ３４の出力する計時データは、グリニッジ標準時に同期したものとなり、モータ駆動回路７２およびアナログ表示部７１を介して正確な時刻が表示されることとなる。
【００２７】
腕時計型情報処理装置７０は、操作部２６を介して翻訳処理の開始が指示されると、翻訳処理を開始することとなる。
翻訳処理が開始されると、受信制御部４３は、受信部３８を起動する。
これにより、制御部３９は、受信部３８において受信ができたか否かを判別し、受信部３８において測位用電波を受信できた場合には、得られた現在位置データを言語設定部４４に出力する。
これにより、言語設定部４４は、現在位置データに基づいて受信地域（現在位置）を認識し、翻訳元の言語である第１言語および翻訳先の言語である第２言語の組み合わせをあらかじめ記憶した言語組み合わせデータ記憶部４５を参照し、対応する言語組み合わせを言語設定データとして翻訳制御部７４に出力する。この場合において、言語組み合わせデータ記憶部４５における第１言語と第２言語との組み合わせは、言語組み合わせ設定部４６を介してユーザあるいは通信回線を介して自動的に設定される。若しくはあらかじめＲＯＭ等に記憶させておいても良い。
【００２８】
翻訳制御部７４は、操作部２６を介して翻訳対象のテキストデータ（文字列）あるいは翻訳対象を特定するコマンドが入力されると、入力されたテキストデータ、計時データおよび翻訳データ記憶部７５にあらかじめ記憶されている翻訳データに基づいて翻訳処理を行う。
この場合において、計時データは、時間的な要素を考慮して翻訳を行う場合に用いられ、時間的な要素には通常の時刻の他、季節なども含まれる。
具体的には、翻訳先言語（第２言語）が日本語で、翻訳元言語（第１言語）が英語である場合、例えば、「hello！」と入力した場合であっても、朝の時間帯であれば「おはよう」と翻訳し、昼の時間帯であれば「こんにちは」と翻訳し、夜（夕方）の時間帯であれば「こんばんは」と翻訳する。
また、コマンド入力により、時候の挨拶を翻訳したい場合には、春、夏、秋、冬などの各季節あるいは季節的な行事（正月、クリスマスなど）を適切に判断して必要と思われる用例を提示する。
【００２９】
そして翻訳制御部７４は、翻訳先言語である第２言語の翻訳結果データを生成あるいは抽出し、表示信号変換部５１に出力する。これにより、表示信号変換部５１は、翻訳結果データを表示信号に変換し、ドライバ回路３５に出力し、表示部４２には、翻訳結果データに対応する文章が当該翻訳先の言語（第２言語）で表示されることとなる。
以上の説明のように、本第３実施形態の腕時計型情報処理装置７０によっても、ＧＰＳ衛星からの測位用電波によって自己の現在位置を特定し、通訳対象の言語の組み合わせを自動的に設定できるので、ユーザの設定の手間を削減し、より使い勝手が良くなる。
また、通訳時に時間的要素（時刻、季節など）も考慮して翻訳を行えるので、より自然な翻訳文を提示することが可能となる。
【００３０】
［４］変形例
［４．１］第１変形例
以上の説明では、２カ国間の通訳あるいは翻訳を行う場合について説明したが、複数国間の通訳あるいは翻訳を行うように構成することも可能である。
例えば、カナダ国内で日本人が入力して、通訳を行う場合には、日本語の音声を入力し、英語の通訳音声を出力後に、フランス語の通訳音声を出力するように構成することが可能である。同様に、ドイツ国内で日本人が入力して、翻訳を行う場合には、操作部（キーボード）を用いて日本語のテキスト文章を入力し、ドイツ語の翻訳文を表示した後に、英語の翻訳文を表示するように構成することが可能である。
【００３１】
［４．２］第２変形例
以上の説明では、通訳を行う態様（第１実施形態および第２実施形態）では、アナログ指針が設けられていない言語情報処理装置を例として説明したが、第３実施形態（図１０参照）と同様にアナログ指針を有する腕時計型言語情報処理装置として構成することも可能である。
図１２は、第２変形例の言語情報処理装置（通訳装置）を腕時計型に構成した場合の外観正面図である。
腕時計型言語情報処理装置８０は、大別すると、アナログ指針８２を有し、アナログ時計の外観を呈する言語情報処理装置本体８１と、言語情報処理装置本体２１を腕に装着するために、言語情報処理装置本体８１の上下方向に設けられたバンド２２Ａ、２２Ｂと、を備えている。
言語情報処理装置本体８１のバンド２２Ａの取付側には、相手側マイク２３およびスピーカ８３Ａが設けられており、通訳相手の音声入力および音声出力がなされることとなる。同様にバンド２２Ｂの取付側には、本人側マイク２４およびスピーカ８３Ｂが設けられており、本人相手の音声入力および音声出力がなされることとなる。この場合においても、言語情報処理装置本体８１は、左側部に配置されたＧＰＳアンテナ部２５を介して受信した測位用電波に基づいて通訳相手の使用言語（第２言語）の種別を特定し、通訳処理を行うこととなる。
【００３２】
［４．３］第３変形例
以上の説明においては、腕時計型言語情報処理装置を例として説明したが、言語情報処理装置の形態はこれに限られるものではなく、携帯電話、ＰＤＡ、ＰＨＳ、携帯型パーソナルコンピュータなどの携帯型電子機器に組み込むように構成することが可能である。
【００３３】
［４．４］第４変形例
以上の説明においては、受信地判別用のデータは言語情報処理装置内に記憶している場合について説明したが、これに限るものではなく、インターネットなどの通信ネットワークを介してサーバコンピュータに接続し、自己位置データを送信することにより、サーバコンピュータ側で受信地を特定し、処理対象言語を特定するように構成することも可能である。また、翻訳処理あるいは通訳処理をサーバコンピュータ側に行わせ、処理結果のみをダウンロードして表示などを行うように構成することも可能である。
【００３４】
［４．５］第５変形例
以上の説明においては、制御部３９、通訳制御部３７および翻訳制御部７４などの各制御部の構成については詳細に説明しなかったが、ＣＰＵ、ＲＡＭ、ＲＯＭなどを備え、ＲＯＭ内に記憶した制御プログラムに基づいて、上述した処理を行うマイクロプロセッサ（マイクロコンピュータ）としてソフトウェアにより上記機能を実現するように構成したり、ロジック回路のようにハードウェアとして構成することも可能である。
【００３５】
［４．６］第６変形例
以上の説明においては、言語情報処理装置を制御するための制御プログラムが予めＲＯＭに記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。
【図面の簡単な説明】
【００３６】
【図１】実施形態の言語情報処理装置の原理を説明するための概要構成ブロック図である。
【図２】第１実施形態の言語情報処理装置（通訳装置）を腕時計型に構成した場合の外観正面図である。
【図３】腕時計型言語情報処理装置の概要構成ブロック図である。
【図４】通訳処理の処理フローチャートである。
【図５】第２実施形態の言語情報処理装置（通訳装置）を腕時計型に構成した場合の外観斜視図である。
【図６】第２実施形態の言語情報処理装置の使用状態の側面図（その１）である。
【図７】第２実施形態の言語情報処理装置の使用状態の側面図（その２）である。
【図８】第２実施形態の言語情報処理装置（通訳装置）の概要構成ブロック図である。
【図９】通訳処理の処理フローチャートである。
【図１０】第３実施形態の言語情報処理装置（翻訳装置）を腕時計型に構成した場合の外観正面図である。
【図１１】第３実施形態の腕時計型言語情報処理装置の概要構成ブロック図である。
【図１２】第２変形例の言語情報処理装置（通訳装置）を腕時計型に構成した場合の外観正面図である。
【符号の説明】
【００３７】
１０…言語情報処理装置、１１…受信部、１２…受信地判別部、１３…言語設定部、１４…入力部、１５…言語処理部、１６…出力部、１７…計時部、
２０…腕時計型情報処理装置、３１…発振回路３１、３２…水晶発振器、３３…分周回路、３４…時刻カウンタ、３５…ドライバ回路、３６…比較部、３７…通訳制御部、３８…受信部、３９…制御部、４０…測位計算ソフトウェア記憶部、４１…時刻修正制御部、４２…表示部
【図１】
2005190278.tif 000003
【図２】
2005190278.tif 000004
【図３】
2005190278.tif 000005
【図４】
2005190278.tif 000006
【図５】
2005190278.tif 000007
【図６】
2005190278.tif 000008
【図７】
2005190278.tif 000009
【図８】
2005190278.tif 000010
【図９】
2005190278.tif 000011
【図１０】
2005190278.tif 000012
【図１１】
2005190278.tif 000013
【図１２】
2005190278.tif 000014